(57)【要約】【課題】リレーユニットのシーケンス回路の動作状態を目で確認でき、またその動作状態の健全性を測定機器や仮配線を用いることなく容易に確認できるモニタ装置の提供。【解決手段】リレーユニットを構成するリレーに感光スイッチ・無線タグを具備し、また無線読み取り機器・データベース・処理装置・表示画面からなるモニタ装置を適用することにより、リレーユニットのシーケンス回路を目で確認することができる。また処理装置を構成する演算部に展開接続図の内容を演算させた結果とリレーユニットのシーケンス回路の動作状態を比較することにより、その動作状態の健全性を測定機器や仮配線を用いることなく容易に確認できる。【選択図】図１
2008040570.tif 000002
【特許請求の範囲】
【請求項１】
励磁コイルを内蔵したリレーを有するリレーユニットにおいて、前記励磁コイルの励磁状態に応じ発光する発光体と、前記発光体の発光状態を検出する発光スイッチを有するものであって、前記発光スイッチの検出情報を無線で送信する無線送信手段を有することを特徴とするリレーユニット。
【請求項２】
請求項１において、前記発光スイッチの検出情報は、前記発光スイッチの動作に応じた電界強度の変化であることを特徴とするリレーユニット。
【請求項３】
請求項１において、アンテナを有しており、無線送信手段の電源と、前記発光スイッチの電源は共通的に構成され、前記電源と前記発光スイッチは接続線で接続され、前記接続線の電界強度に係る信号が前記アンテナから出力され、該出力に基づいて前記電界強度の変化が得られることを特徴とするリレーユニット。
【請求項４】
励磁コイルを内蔵したリレーを有するリレーユニットの動作状態を検出する方法において、前記励磁コイルの励磁状態に応じて発光体が発光し、前記発光体の発光状態を検出し、前記発光スイッチの検出情報を無線で送信するリレーユニットの動作検出方法。
【請求項５】
励磁コイルを内蔵したリレーを有するリレーユニットについての、前記励磁コイルの励磁状態に応じ発光する発光体の発光情報を受け取って、前記発光情報を無線で送信するリレーユニットの無線タグ。
【請求項６】
励磁コイルを内蔵したリレーを有するリレーユニットにおいて、前記励磁コイルの励磁状態に応じ発光する発光体と、前記発光体の発光状態を検出する発光スイッチを有するものであって、前記発光スイッチの検出情報を無線で送信する無線送信手段と、前記無線送信手段からの情報を受けとる無線受信手段と、前記無線受信手段からの情報に基づいて演算処理する演算処理部と、前記演算処理部の演算結果を表示するモニタを有することを特徴とするリレーユニットの監視システム。
【請求項７】
請求項６において、前記無線を介して授受する情報には前記リレーユニットのシーケンス回路の動作情報が含まれており、演算処理部は、前記情報に基づいて、前記シーケンス回路の動作の健全性を判断することを特徴とするリレーユニットの監視システム。
【請求項８】
請求項６において、前記演算部は、データベースから前記シーケンス回路に関する情報を受け取って、前記無線を介して受け取った前記シーケンス回路の動作情報と比較して、前記健全性を判断することを特徴とするリレーユニットの監視システム。
【発明の詳細な説明】
【技術分野】
【０００１】
本発明は、リレーユニット，リレーユニットの監視システム，リレーユニットの無線タグ及びリレーユニットの動作検出方法に関する。
【背景技術】
【０００２】
従来、リレーを組み合わせて構成するシーケンス回路の動作確認は、テスターなどでリレーの接点や配線が接続されている端子で電圧を測定するなど測定機器や仮配線を用いて電気的に行っていた。そのため、シーケンス回路の動作確認に手間がかかっていたり、一部の回路の確認がもれたりしていた。
【０００３】
また、シーケンス回路の動作確認のために、無線タグを利用する技術が知られている。
【０００４】
このような技術は、例えば、特開２００４−２９５７６７号公報に記載されている。
【０００５】
【特許文献１】特開２００４−２９５７６７号公報
【発明の開示】
【発明が解決しようとする課題】
【０００６】
上記技術では、シーケンス回路に無線タグを直接に接続して、該直接接続された無線タグからシーケンス回路の情報を送信するように構成している。そのため無線タグの配置が制約され、自由度が制約されるという問題があった。
【０００７】
本発明の目的は、無線送信手段に基づいた、配置の自由度の向上が可能なものを提供することにある。
【課題を解決するための手段】
【０００８】
上記目的を達成するために、本発明では、励磁コイルを内蔵したリレーを有するリレーユニットの動作状態を検出するに際して、励磁コイルの励磁状態に応じて発光体が発光し、発光体の発光状態を検出し、発光スイッチの検出情報を無線で送信するように構成した。
【発明の効果】
【０００９】
本発明によれば、リレーユニットにおける動作状態の監視の自由度が大きくなる。
【発明を実施するための最良の形態】
【００１０】
本発明による実施の一例を示す。図１にリレーユニット１とモニタ装置６の詳細について説明する。リレーユニット１は発光体４を内蔵したリレー３および配線・端子台（図示せず）から構成するシーケンス回路を有しており、リレー３には感光スイッチ５と無線タグ２ｂを具備している。モニタ装置６は無線読み取り機器７（以下リーダーと呼ぶ），データベース９，演算部１１と送受信部１２からなる処理装置１０，表示画面１３から構成する。
【００１１】
データベース９の内容について図２を用いて説明する。データベース９はリレーユニットデータ１４とリレーデータ１５と展開接続図データ１６から構成する。リレーユニットデータ１４には、リレーユニットＮＯ，名称，実装位置，展開接続図シートＮＯ，実装しているリレーのＮＯなどの情報を格納する。リレーデータ１５には、リレーＮＯ，実装位置，展開接続図シートＮＯ，デバイス，リレー種別，保守年限などの情報を格納する。
【００１２】
図１において、リレー３に具備した無線タグ２ｂはリレーナンバー（以下、リレーＮＯと略称する）を有している。リレーＮＯは無線８ｂによりリーダー７を経由して処理装置１０の送受信部１２に取り込まれ、送受信部１２と接続している演算部１１でデータベース９から読み出したリレーＮＯと照合することによりリレーの実装位置やシーケンス回路上での役割などのリレー個別の情報を特定することができる。リレーユニット１が複数存在する場合には、前記と同様の仕組みでリレーユニット名称や展開接続図シートＮＯなどリレーユニット個別の情報を特定することができる。
【００１３】
シーケンス回路によりリレー３が励磁された場合には、発光体４が発光し感光スイッチ５がＯＮする。感光スイッチ５がＯＮすると無線タグ２ｂは「リレーＯＮ」の情報を出力できる状態になる。仕組みについて図３を用いて説明する。感光スイッチ５は内部抵抗ＲとスイッチＳＷから構成する。内部抵抗Ｒ，スイッチＳＷ及び電源１７で電気回路１９が構成されている。感光スイッチ５は、発光体４の発光が検出されなければ、ＳＷを開いたままに維持する。一方、感光スイッチ５は、発光体４の発光が検出されると、ＳＷを閉状態となして、閉回路を形成する。無線タグ２ｂは電源１７とアンテナ１８から構成し、感光スイッチ５と電気回路１９により接続している。いま、スイッチＳＷがＯＦＦしている場合を考える。このとき、電気回路１９には電流が流れないため、電源１７は無線８ｂを受けたアンテナ１８から供給される電力により電圧が一定に保たれている。アンテナ１８が受ける電界強度も一定となる。一方、スイッチＳＷがＯＮしたとき、電気回路１９に電流が流れアンテナ１８が受ける電界強度が変化する。この電界強度の情報は無線タグ２ｂから、無線８ｂを通じて無線信号として送信される。リーダー７は無線８ｂの情報を受けとり、リレーＮＯの情報を取り込むことができる。
【００１４】
ここで図１において、リレーユニット１で構成するシーケンス回路の動作状態をモニタ装置６の表示画面１３に表示させる仕組みについて説明する。リーダー７は無線８ａをリレーユニット１に取り付けた無線タグ２ａに送信し、無線タグ２ａが有しているリレーユニットＮＯをリーダー７経由で処理装置の演算部１１に取り込むと同時にデータベース９（対応する各々の展開接続図が記憶されている）から該当の展開接続図を読み出す。また、リーダー７は無線タグ２ｂに無線８ｂを送信し、無線タグ２ｂが有しているリレーＮＯおよびリレー３の励磁状態をリーダー７経由で処理装置の演算部１１に取り込む。演算部１１にて前記展開接続図にリレー３の励磁状態を重ね合わせて表示する。
【００１５】
図４に表示画面１３の一例を示す。表示画面１３にはデータベース９から読み出した展開接続図を演算部１１により表示させる。リレー接点２０がＯＮしているとき、通電している回路を色変えして表示する。
【００１６】
図１のモニタ装置６のうち、演算部１１の更なる機能について説明する。更なる機能では、リレーユニットはシーケンス回路の状態を無線タグ２ｂを介して送信情報として送信するように構成される。演算部１１はリレーユニット１のシーケンス回路の動作状態を表示画面１３に表示するだけでなく、動作状態の健全性を診断する機能も有している。つまり、演算部１１はデータベース９に格納している展開接続図を読み出して演算することができ、演算結果とリーダー７を通して読み取ったシーケンス回路の動作状態とを比較することにより動作状態の健全性を診断することができる。具体的には、前記比較の結果不一致が生じた場合に該当個所を表示画面１３に示し、リレーユニット１内部の断線や配線不良などの異常を知らしめることができる。
【００１７】
以上説明したように、従来測定機器や仮配線などで行っていたリレーユニットのシーケンス回路の動作確認を可視的に実施できるとともに、モニタ装置の演算機能を利用してシーケンス回路の動作状態の健全性を診断することができる。
【００１８】
また、シーケンス回路と無線タグは直接接続していないので、リレーを複雑に組み合わせたシーケンス回路の監視も可能であり、さらにシーケンス回路の実動作状態とデータベースからシーケンス回路のデータを読み出し処理装置の演算部での演算結果とを比較することによりシーケンス回路の動作状態の健全性を確認できる。
【００１９】
また、感光スイッチ・無線タグ・無線読み取り機器・処理装置・表示画面を適用することでリレーを用いたシーケンス回路の動作状態を目で確認でき、また動作状態の健全性をモニタ装置の表示により容易に確認できる。
【図面の簡単な説明】
【００２０】
【図１】本発明実施形態によるリレーユニットとモニタ装置を示した図である。
【図２】モニタ装置を構成するデータベースの詳細について示した図である。
【図３】リレーユニットを構成するリレーに具備する感光スイッチと無線タグの詳細と動作原理を示した図である。
【図４】本発明実施形態によるモニタ装置の表示画面の一例を示した図である。
【符号の説明】
【００２１】
１…リレーユニット、２ａ，２ｂ…無線タグ、３…リレー、４…発光体、５…感光スイッチ、６…モニタ装置、７…無線読み取り機器（リーダー）、８ａ，８ｂ…無線、９…データベース、１０…処理装置、１１…演算部、１２…送受信部、１３…表示画面、１４…リレーユニットデータ、１５…リレーデータ、１６…展開接続図データ、１７…電源、
１８…アンテナ、１９…電気回路、２０…リレー接点。
【図１】
2008040570.tif 000003
【図２】
2008040570.tif 000004
【図３】
2008040570.tif 000005
【図４】
2008040570.tif 000006